【手続補正書】
【提出日】平成15年2月21日(2003.2.21)
【手続補正１】
【補正対象書類名】明細書
【補正対象項目名】特許請求の範囲
【補正方法】変更
【補正の内容】
【特許請求の範囲】
【請求項１】
自動販売機の商品ホルダー収納棚別に、同一種類の商品を充填した種類別商品ホルダーを着脱して商品供給する自動販売機
【手続補正２】
【補正対象書類名】明細書
【補正対象項目名】特許請求の範囲
【補正方法】変更
【補正の内容】
【特許請求の範囲】
【請求項２】
前面が透明材である表示部を有し、この表示部中に、当該商品ホルダー内の商品を表示する商品ホルダーをホルダー収納棚別に収納する事により表示扉が不要である請求項１記載の自動販売機。
【手続補正３】
【補正対象書類名】明細書
【補正対象項目名】特許請求の範囲
【補正方法】変更
【補正の内容】
【特許請求の範囲】
【請求項３】
商品ホルダーのおのおのが、商品送り出し機構を有する請求項１及び請求項２記載の自動販売機
【手続補正４】
【補正対象書類名】明細書
【補正対象項目名】特許請求の範囲
【補正方法】追加
【補正の内容】
【特許請求の範囲】
【請求項４】
ホルダー収納棚のおのおのに、商品ホルダーの商品送り出し機構への動力源の供給機構を有する請求項１及び請求項２及び請求項３及び請求項４記載の自動販売機
【手続補正５】
【補正対象書類名】明細書
【補正対象項目名】０００１
【補正方法】変更
【補正の内容】
【０００１】
【産業上の利用分野】本発明は自動販売機への商品供給を効率的に行い且つ、商品表示用の扉が不要である自動販売機に関するものである。


【手続補正６】
【補正対象書類名】明細書
【補正対象項目名】０００４
【補正方法】変更
【補正の内容】
【０００４】特に扉の開閉は通行人の往来を妨害するので、自動販売機の設置そのものに付いての賛否が問われような、大きな問題となっていて、扉を開閉せずに商品供給する事ができれば、特に非常に有効であるが、扉は商品の表示窓を兼ねているため、従来の自動販売機では扉を不要にする事は不可能であったが、本発明に於いては表示を兼ねる扉が不要になる。


【手続補正７】
【補正対象書類名】明細書
【補正対象項目名】０００５
【補正方法】変更
【補正の内容】
【０００５】
【本発明が解決しようとする課題】本発明は上記した様な、缶を一個ずつ自動販売機に供給すると云う不便を解消すると共に、扉を不要にするためになされた。


【手続補正８】
【補正対象書類名】明細書
【補正対象項目名】０００６
【補正方法】変更
【補正の内容】
【０００６】
【課題を解決する手段】予め同一種類の缶を充填した缶ホルダーを、自動販売機の缶ホルダー収納する棚別に着脱自在にして、自動販売機への缶供給はこの缶ホルダーごとそっくり取り替える事が出来るようにする。また、取っ手となる引き出し用の桿を、この缶ホルダー前面に取り付ければ、缶ホルダーを着脱し易くなる。


【手続補正９】
【補正対象書類名】明細書
【補正対象項目名】０００７
【補正方法】変更
【補正の内容】
【０００７】また、この缶ホルダーの前面を透明板にした表示部を設け、この表示部に缶ホルダーに充填した缶を表示する。缶ホルダー前面が表示窓を兼ねるので、缶ホルダーを自動販売機本体のホルダー収納棚に収納するだけで、表示が行われるので、表示窓が不要となり表示扉が不要となる。


【手続補正１０】
【補正対象書類名】明細書
【補正対象項目名】００１０
【補正方法】変更
【補正の内容】
【００１０】缶ホルダー１０には図に示すように、傾斜したスロープ枠１１を有し缶が斜面を転がり、送り出されやすい様になっている。また傾斜を付けると、余分な空間が生じ、充填量が少なくなるので、傾斜を付けずに、缶ホルダーに缶送り出し機構を取り付けて缶を排出する。そしてこの缶送り出し機構の動力源を、この缶ホルダー１０が収納される自動販売機本体２０の棚２１の内部に設けることにより缶ホルダー１０に、より多数の缶を充填する事ができる。


【手続補正１１】
【補正対象書類名】明細書
【補正対象項目名】００１３
【補正方法】変更
【補正の内容】
【００１３】つぎに、表示部を有する本発明の缶ホルダーに付いて説明する。
図７は前部に表示部１５を有する缶ホルダー１０であるが、この表示部１５はアクリル等の透明前面板１７で覆われ、この中にこの缶ホルダー１０に入っている缶１を表示する。


【手続補正１２】
【補正対象書類名】明細書
【補正対象項目名】００１４
【補正方法】変更
【補正の内容】
【００１４】この様な缶ホルダー１０を、自動販売機本体２０の棚２１に収納すると、図８に示す様に、表示部１５だけが突出し、表示窓として作用するのであり、これにより表示用の扉が不要となり、扉の開閉と云う手順を不要にして、自動販売機への缶供給を簡単に行う事が出来るのである。また最下段の棚列には表示を無効するめくら板１９で表示部１５を覆って、表示をしない缶ホルダー１０を収納する事により任意の缶を適切量供給する事ができる。
以上説明したように、本発明は自動販売機への商品の供給を手早く行うと云う目的を実現する。飲料メーカや運送会社で予め缶をこの缶ホルダーに充填しておけば、在庫管理が簡単になる。電話回線や無線を使った通信手段を有するインテリジェント自動販売機が登場しつつあるが、本発明はこの様な自動販売への自動商品巡回供給をシステム化するに最適である。更に、本発明に於いては缶ホルダーが表示窓を兼ねるため表示扉を必要としないので、扉の開閉で通行を妨げる事がなく、狭い場所でも設置する事が可能となる。缶の自動販売機に付い説明したが、勿論たばこや、アイスクリームの自動販売機でもよく、更に生鮮食品や料理の自動販売機にこそ、商品供給が迅速にシステマチックに実行される本発明は最適であると言える。


【手続補正１３】
【補正対象書類名】明細書
【補正対象項目名】図５
【補正方法】追加
【補正の内容】
【図５】表示部を有する缶ホルダーの斜視図


【手続補正１４】
【補正対象書類名】明細書
【補正対象項目名】図６
【補正方法】追加
【補正の内容】
【図６】表示部を有する缶ホルダーを自動販売機本体に収納している断面図


【手続補正１５】
【補正対象書類名】明細書
【補正対象項目名】図７
【補正方法】追加
【補正の内容】
【図７】表示部を有する缶ホルダーを自動販売機本体に収納しつつある斜視図


【手続補正１６】
【補正対象書類名】明細書
【補正対象項目名】図８
【補正方法】追加
【補正の内容】
【図８】表示部を有する缶ホルダーの一部の缶ホルダーを引き抜いた斜視図


【手続補正１７】
【補正対象書類名】明細書
【補正対象項目名】符号の説明
【補正方法】追加
【補正の内容】
【符号の説明】
１５  表示部


【手続補正１８】
【補正対象書類名】明細書
【補正対象項目名】符号の説明
【補正方法】追加
【補正の内容】
【符号の説明】
１７  透明前面板


【手続補正１９】
【補正対象書類名】明細書
【補正対象項目名】符号の説明
【補正方法】追加
【補正の内容】
【符号の説明】
１９  めくら板


【手続補正２０】
【補正対象書類名】明細書
【補正対象項目名】符号の説明
【補正方法】追加
【補正の内容】
【符号の説明】
２９  缶排出スペース


【手続補正２１】
【補正対象書類名】図面
【補正対象項目名】図５
【補正方法】追加
【補正の内容】
【図５】
1997231452.tif 000001
【手続補正２２】
【補正対象書類名】図面
【補正対象項目名】図６
【補正方法】追加
【補正の内容】
【図６】
1997231452.tif 000002
【手続補正２３】
【補正対象書類名】図面
【補正対象項目名】図７
【補正方法】追加
【補正の内容】
【図７】
1997231452.tif 000003
【手続補正２４】
【補正対象書類名】図面
【補正対象項目名】図８
【補正方法】追加
【補正の内容】
【図８】
1997231452.tif 000004